(57)【要約】      （修正有）【課題】広範適用電圧を有する装置を備える温度調整可能ツールを提供する。【解決手段】温度調整可能ツールは、衣服本体８、ファン／発熱シート、変圧器、入力電源を備え、入力電源は６Ｖ−５８Ｖの第１入力電源４及び５Ｖの第２入力電源５を備え、ファン／発熱シートは給電ワイヤ６を介して変圧器、第１入力電源に順次接続されて第１給電回路を形成し、給電ワイヤを介して第２入力電源に直接接続されて第２給電回路を形成し、第１入力電源とファン／発熱シートとの間には、個別に設置されたｄｃ２．０インターフェース、ｄｃ４．０インターフェース又はカスタムインターフェースの第１インターフェース１２を用いて電源の入力が実現され、第２入力電源とファン／発熱シートとの間には、個別に設置されたＵＳＢインターフェースの第２インターフェース１３を用いて電源の入力が実現され、２つの給電回路によりファン／発熱シートの正常な運転が実現される。【選択図】図１
0003227136.tif 000002
【実用新案登録請求の範囲】
【請求項１】
広範適用電圧を有する装置を備える温度調整可能ツールであって、
衣服本体、ファン及び／又は発熱シート、変圧器、入力電源を備え、入力電源は６Ｖ−５８Ｖの第１入力電源及び５Ｖの第２入力電源を備え、ファン及び／又は発熱シートは給電ワイヤを介して変圧器、第１入力電源に順次接続されて第１給電回路を形成し、給電ワイヤを介して第２入力電源に直接接続されて第２給電回路を形成し、第１入力電源とファン及び／又は発熱シートとの間には、個別に設置されたｄｃ２．０インターフェース、ｄｃ４．０インターフェース又はカスタムインターフェースを用いて電源の入力が実現され、第２入力電源とファン及び／又は発熱シートとの間には、個別に設置されたＵＳＢインターフェースを用いて電源の入力が実現され、２つの給電回路によりファン及び／又は発熱シートの正常な運転が実現されることを特徴とする温度調整可能ツール。
【請求項２】
前記ファンと給電ワイヤとの間には、ｄｃ２．０インターフェース、ｄｃ４．０インターフェース又はカスタムインターフェース又はＵＳＢインターフェースが設置されており、前記発熱シートと給電ワイヤとの間には、ｄｃ２．０インターフェース、ｄｃ４．０インターフェース又はカスタムインターフェース又はＵＳＢインターフェースが設置されていることを特徴とする請求項１に記載の広範適用電圧を有する装置を備える温度調整可能ツール。
【請求項３】
前記第１入力電源と給電ワイヤとの間には、ｄｃ２．０インターフェース、ｄｃ４．０インターフェース又はカスタムインターフェースが設置されており、前記第２入力電源と給電ワイヤとの間には、ＵＳＢインターフェースが設置されていることを特徴とする請求項１に記載の広範適用電圧を有する装置を備える温度調整可能ツール。
【請求項４】
前記第１給電回路、第２給電回路のいずれにも、前記ファン及び／又は発熱シートのオン・オフ及び作動モードを制御するための制御スイッチが設置されていることを特徴とする請求項１に記載の広範適用電圧を有する装置を備える温度調整可能ツール。
【請求項５】
前記衣服本体の背面には、前記変圧器、入力電源を収納するための内蔵ポケットが設けられ、該内蔵ポケットには、前記給電ワイヤを取り付けるためのワイヤ通し孔が設けられることを特徴とする請求項１に記載の広範適用電圧を有する装置を備える温度調整可能ツール。
【請求項６】
前記衣服本体の下縁部には、複数の固定バックルが設置され、前記ファン及び／又は発熱シートから引き出される前記給電ワイヤは、固定バックルを通過して衣服本体に固定して取り付けられることを特徴とする請求項１に記載の広範適用電圧を有する装置を備える温度調整可能ツール。
【請求項７】
前記変圧器の型番がＫ４８０５０１であることを特徴とする請求項１に記載の広範適用電圧を有する装置を備える温度調整可能ツール。
【請求項８】
前記固定バックルは面ファスナーであることを特徴とする請求項６に記載の広範適用電圧を有する装置を備える温度調整可能ツール。
【考案の詳細な説明】
【技術分野】
【０００１】
本考案は、広範適用電圧を有する装置を備える温度調整可能ツールに関する。
【背景技術】
【０００２】
現在、地球温暖化のため気温が上昇するにつれて、高温環境で作業する人々にとって、長時間の作業は必然的に身体の熱、水分、電解質などの物質の代謝の不均衡につながり、脱水、痙攣、熱中症などの現象を起こしやすくなり、さらに熱中症など生命安全にかかわる状況が発生し、従って、高温作業者は通常、冷房スーツを着用することによって降温させ、冷房スーツ内に装着されたファンによって衣服内の温度を調整し、さらに体温が上昇し過ぎて上記状況の発生を招くことを回避する。
【０００３】
従来技術では、通常、冷房スーツに装着されたファンによって風を衣服内に送り、身体を降温させ、着用者を涼しく快適に感じさせる。冷房スーツに使用されるファンは、安全電圧が一般には５Ｖであり、この状態では、５Ｖに対応する電圧入力が必要であり、他の電圧の入力では、ファンモータには、すべての機能を発揮できなかったりモータが壊れたりして、ファンの寿命を短縮させることがある。また、発熱ツールに用いられる電源は多くの場合定格電圧であり、このため、その使用に限りがある。
【０００４】
低温作業環境の場合、発熱ツールを装着する必要があり、多くの場合、発熱ツールの発熱モジュールの安全電圧が５Ｖであり、この状態では、５Ｖに対応する電圧入力が必要であり、ほかの電圧の入力では、発熱モジュールの破壊を引き起こしやすく、さらに発熱ツールの使用時に危険性を招く。
【考案の概要】
【０００５】
従来技術に存在する問題に対して、本考案は、構造が改良され、寿命が長く、安全性がさらに良好な広範適用電圧を有する装置を備える温度調整可能ツールを提供することを目的とする。
【０００６】
上記目的を実現するために、本考案は、広範適用電圧を有する装置を備える温度調整可能ツールであり、衣服本体、ファン／発熱シート、変圧器、入力電源を備え、入力電源は６Ｖ−５８Ｖの第１入力電源及び５Ｖの第２入力電源を備え、ファン／発熱シートは給電ワイヤを介して変圧器、第１入力電源に順次接続されて第１給電回路を形成し、ファン／発熱シートは給電ワイヤを介して第２入力電源に接直接続されて第２給電回路を形成し、第１入力電源とファン／発熱シートとの間には、個別に設置されたｄｃ２．０インターフェース、ｄｃ４．０インターフェース又はカスタムインターフェースを用いて電源の入力が実現され、第２入力電源とファン／発熱シートとの間には、個別に設置されたＵＳＢインターフェースを用いて電源の入力が実現され、２つの給電回路によりファン／発熱シートの正常な運転が確保される。
【０００７】
さらに、前記ファンと給電ワイヤとの間には、ｄｃ２．０インターフェース、ｄｃ４．０インターフェース又はカスタムインターフェース又はＵＳＢインターフェースが設置されており、前記発熱シートと給電ワイヤとの間には、ｄｃ２．０インターフェース、ｄｃ４．０インターフェース又はカスタムインターフェース又はＵＳＢインターフェースが設置されている。
【０００８】
さらに、前記第１入力電源と給電ワイヤとの間には、ｄｃ２．０インターフェース、ｄｃ４．０インターフェース又はカスタムインターフェースが設置されており、前記第２入力電源と給電ワイヤとの間には、ＵＳＢインターフェースが設置されている。
【０００９】
さらに、前記第１給電回路、第２給電回路のいずれにも、ファン／発熱シートのオン・オフ及び作動モードを制御するための制御スイッチが設置されている。
【００１０】
さらに、前記衣服本体の背面には、前記変圧器、入力電源を収納するための内蔵ポケットが設けられ、該内蔵ポケットには、前記給電ワイヤを取り付けるためのワイヤ通し孔が設けられる。
【００１１】
さらに、前記衣服本体の下縁部には、複数の固定バックルが設置され、前記ファン／発熱シートから引き出される前記給電ワイヤは、固定バックルを通過して衣服本体に固定して取り付けられる。
【００１２】
さらに、前記変圧器の型番がＫ４８０５０１である。
【００１３】
さらに、前記固定バックルは面ファスナーである。
【００１４】
本考案に係る広範適用電圧を有する装置を備える温度調整可能ツールは、５Ｖ−５８Ｖ入力電源を温度調整可能ツールに幅広く適用することによって、電圧の不安定性によりファンモータが破壊するという従来技術の問題を解決し、また、発熱ツールに接続可能な電源電圧を増加することで、電源製品の品種を増やし、さらに、本考案では、各部材は手軽に取り外すことができ、温度調整可能ツールから容易に取り外すことができ、それによって、製品の使用範囲を広げて、適用性を向上させる。
【図面の簡単な説明】
【００１５】
【図１】広範適用電圧を有する装置を備える温度調整可能ツールの展開図である。
【図２】ファン付き製品の構造ブロック図である。
【図３】発熱シート付き製品の構造ブロック図である。
【図４】６Ｖ−５８Ｖの第１入力電源の回路図である。
【図５】５Ｖの第２入力電源の回路図である。
【考案を実施するための形態】
【００１６】
以下、図面を参考して本考案をより全面的に説明し、図中、本考案の例示的な実施例が示されている。しかし、本考案は様々な形態で実施でき、ここで述べる例示的な実施例に限定されるものではない。これらの実施例は、本考案をより完備化及び完全化し、本考案の範囲を当業者に完全に伝えるために提供されるのである。
【００１７】
説明の便宜上、ここで、例えば「上」、「下」「左」「右」等の相対空間用語を使用して、図示される１つの構成要素又は特徴の別の構成要素又は特徴に対する関係を説明することができる。なお、図示される方位を除き、空間用語は装置の使用又は操作中の異なる方位を含むことを意味する。例えば、図中の装置が逆さまにされると、ほかの構成要素又は特徴の「下」にあると述べられた構成要素はほかの構成要素又は特徴の「上」に位置決めされる。従って、例示的な用語「下」は上及び下の方位の両方を含む。装置はほかの方式で位置決めされ（９０°回転する又はほかの方位にある）、ここで使用される相対空間説明は相応しく理解できる。
【００１８】
図１〜図５に示されるように、本考案は、広範適用電圧を有する装置を備える温度調整可能ツールであり、衣服本体８、ファン１／発熱シート７、変圧器３、入力電源を備え、入力電源は６Ｖ−５８Ｖの第１入力電源４及び５Ｖの第２入力電源５を備え、ファン１／発熱シート７は給電ワイヤ６を介して変圧器３、第１入力電源４に順次接続されて第１給電回路を形成し、６Ｖ−５８Ｖの第１入力電源４は、変圧器３で変圧された後、５Ｖ電圧を安定的に出力する。ファン／発熱シートは、給電ワイヤ６を介して第２入力電源５に直接接続されて第２給電回路を形成し、２つの給電回路によりファン／発熱シートの正常な運転が確保される。第１入力電源４は、個別に設置された第１インターフェース１２を用いて電源の入力を実現し、第２入力電源５は、個別に設置された第２インターフェース１３を用いて電源の入力を実現する。第１インターフェース１２は、ｄｃ２．０インターフェース、ｄｃ４．０インターフェースなどの標準インターフェースであってもよく、実際の使用ニーズに応じて設置されるカスタムインターフェースであってもよく、該カスタムインターフェースは、当業者に公知の電源入力に要求される基本的なパラメータを満たすインターフェースであり、その具体的な形状について実際の作動状況に応じて設計することができ、それで、本考案の温度調整可能ツールの使用場面を増やし、使用範囲を広げる。第２インターフェース１３は、個別に設置されたＵＳＢインターフェースである。
【００１９】
従来技術によれば、冷房スーツ又は発熱ツールでは、ファン、発熱シート及び電源はすべて給電ワイヤを用いて直接溶接されることにより接続され、この方式はコストが低く、生産しやすいなどの利点を有する。しかしながら、実際に使用される際に、ファン、発熱シート、電源、給電ワイヤの取り外しを必要とする場合が多く、これらパーツを取り外し可能にすると、冷房スーツ又は発熱ツールは一般的な衣服となることができ、それによって、冷房スーツ、発熱ツールの使用範囲が広がり、冷房スーツ、発熱ツールの価値が高まる。本考案では、ファンと給電ワイヤとの間に第１インターフェース１２／第２インターフェース１３が設置され、発熱シートと給電ワイヤとの間に第１インターフェース１２／第２インターフェース１３が設置され、第１入力電源４と給電ワイヤとの間に第１インターフェース１２が設置され、第２入力電源５と給電ワイヤとの間に第２インターフェース１３が設置されることによって、給電ワイヤと様々な部材との間の接続又は離脱を実現でき、使用しやすくする。
【００２０】
本考案では、第１インターフェース１２には、充電機能を有するとともにデータ伝送機能を有するＤＣインターフェースが使用されているため、より迅速かつ簡便に伝送することができ、使用中、ＤＣインターフェースを介してファン１／発熱シート７の技術的パラメータの調整、チェックなどの作動を実施することができる。ＵＳＢインターフェースは、５Ｖ電源の直接伝送作業を実現している。
【００２１】
変圧器３が６Ｖ−５８Ｖの第１入力電源４を変圧した後、５Ｖの第２入力電源５はファン１／発熱シート７に適用する５Ｖ駆動電圧を安定的に出力し、温度調整可能ツールのファン１／発熱シート７が正常に作動するように駆動する。
【００２２】
ファン／発熱シートは、ファン１及び／又は発熱シート７であり、実際に使用される際に、衣服本体８にファン１又は発熱シート７を個別に設置してもよく、ファン１及び発熱シート７の両方を設置してもよい。ファン１及び発熱シート７の両方を設置する場合、ファン１、発熱シート７は、それぞれ個別の給電ワイヤを用いて独立した給電回路を形成する。
【００２３】
第１給電回路、第２給電回路のいずれにも、ファン１、発熱シート７のオン・オフ及び作動モードを制御するための制御スイッチ２が設置されている。制御スイッチ２としては、従来技術における一般的なスイッチを使用することができ、調整、オン・オフの作用を有すればよい。制御スイッチ２は、ファン１の運転及び風力の大きさを制御し、制御スイッチ２は、発熱シート７の運転及び熱量の大きさを制御する。
【００２４】
衣服本体８の背面には、変圧器３、入力電源を収納するための内蔵ポケット９が設けられ、内蔵ポケット９には、給電ワイヤ６を取り付けるためのワイヤ通し孔１０が設けられる。衣服本体８の下縁部には、複数の固定バックル１１が設けられ、ファン／発熱シートから引き出される給電ワイヤ６は、固定バックル１１を通過して衣服本体８に固定して取り付けられる。該固定バックル１１は、面ファスナー、ワイヤ通しリングなどの構造とされてもよい。
【００２５】
実施例１
図２に示されるように、ファン１は、給電ワイヤ６を介して制御スイッチ２、変圧器３、６Ｖ−５８Ｖの第１入力電源４及び５Ｖの第２入力電源５を接続し、それによって、ファン１、制御スイッチ２、変圧器３、６Ｖ−５８Ｖの第１入力電源４、５Ｖの第２入力電源５、給電ワイヤ６を合理的に衣服本体８に配置する。変圧器３の型番はＫ４８０５０１、ＬＹ−ＫＲＥＥである。
【００２６】
変圧器３によって、６Ｖ−５８Ｖの第１入力電源４はファン１に適用する５Ｖ駆動電圧を安定的に出力し、冷房スーツのファンが正常に作動するように駆動する。
【００２７】
実施例２
図３に示されるように、発熱シート７は、給電ワイヤ６を介して制御スイッチ２、変圧器３、６Ｖ−５８Ｖの第１入力電源４及び５Ｖの第２入力電源５を接続し、それによって、発熱シート７、制御スイッチ２、変圧器３、６Ｖ−５８Ｖの第１入力電源４、５Ｖの第２入力電源５、給電ワイヤ６を衣服本体８に合理的に配置する。
【００２８】
変圧器３によって、６Ｖ−５８Ｖの第１入力電源４は発熱シート７に適用する５Ｖ駆動電圧を安定的に出力し、温度調整可能ツールの発熱シート７が正常に作動するように駆動する。
【００２９】
本考案の有益な効果に関しては、本考案では、ファン／発熱シート、制御スイッチ、変圧器、入力電源、給電ワイヤを衣服本体に合理的に配置し、変圧器の使用によって５ｖ−５８ｖの電源の入力電源が５Ｖ駆動電圧を安定的に出力するようにする。冷房スーツに適用する安全電圧５Ｖのファンモータは、ファンの機能を発揮させるとともに、モータが損傷して、ファン寿命を短縮させることを回避する。また、発熱ツールに用いられると、発熱ツールに接続可能な電源電圧を大幅に増やし、電源製品の品種を増加することができる。構造が合理的であり、実用性が高く、適用範囲が広いという利点がある。
【符号の説明】
【００３０】
１−ファン、２−制御スイッチ、３−変圧器、４−６Ｖ−５８Ｖ入力電源、５−５Ｖ入力電源、６−給電ワイヤ、７−発熱シート、８−衣服本体、内蔵ポケット９、ワイヤ通し孔１０、固定バックル１１、第１インターフェース１２、第２インターフェース１３。
【図１】
0003227136.tif 000003
【図２】
0003227136.tif 000004
【図３】
0003227136.tif 000005
【図４】
0003227136.tif 000006
【図５】
0003227136.tif 000007